(57)【要約】      （修正有）【課題】米国のカジノで求められる公正な抽選結果を実現できるスロット遊技機の機能を発揮させた状態を維持しつつ、表面上は、あたかもパチンコ遊技機をプレイしているような感覚をプレイヤに持たせることができる情報処理装置を提供する。【解決手段】対応関係管理部５０１は、パチンコ機能とスロット機能との対応関係を管理する。パチンコ機能入力受付部５０２は、パチンコ機能での入力情報を受付ける。入力情報変換部５０３は、対応関係に基づいて、パチンコ機能での入力情報をスロット機能用の入力情報に変換する。スロット機能発揮部５０４は、スロット機能用の入力情報に基づいて、スロット機能を発揮させる。出力情報変換部５０５は、対応関係に基づいて、スロット機能が発揮された結果得られる出力情報を、パチンコ機能用の出力情報に変換する。パチンコ用画像表示制御部５０６は、パチンコ機能用の出力情報を出力する制御を実行する。【選択図】図２
2018000495.tif 000002
【特許請求の範囲】
【請求項１】
第１機能と第２機能との対応関係を管理する対応関係管理部と、
前記第１機能での入力情報を受付ける入力情報受付部と、
前記対応関係に基づいて、前記第１機能での入力情報を前記第２機能用の入力情報に変換する入力情報変換部と、
前記第２機能用の入力情報に基づいて、前記第２機能を発揮させる第２機能発揮部と、
前記対応関係に基づいて、前記第２機能が発揮された結果得られる出力情報を、前記第１機能用の出力情報に変換する出力情報変換部と、
前記第１機能用の出力情報を出力する制御を実行する出力制御部と、
を備える情報処理装置。
【請求項２】
前記第１機能は、パチンコ遊技機の機能であり、
前記第２機能は、スロット遊技機の機能である、
請求項１に記載の情報処理装置。
【請求項３】
情報処理装置が実行する情報処理方法であって、
第１機能と第２機能との対応関係を管理する対応関係管理ステップと、
前記第１機能での入力情報を受付ける入力情報受付ステップと、
前記対応関係に基づいて、前記第１機能での入力情報を前記第２機能用の入力情報に変換する入力情報変換ステップと、
前記第２機能用の入力情報に基づいて、前記第２機能を発揮させる第２機能発揮ステップと、
前記対応関係に基づいて、前記第２機能が発揮された結果得られる出力情報を、前記第１機能用の出力情報に変換する出力情報変換ステップと、
前記第１機能用の出力情報を出力する制御を実行する出力制御ステップと、
を含む情報処理方法。
【請求項４】
情報処理装置を制御するコンピュータに、
第１機能と第２機能との対応関係を管理する対応関係管理ステップと、
前記第１機能での入力情報を受付ける入力情報受付ステップと、
前記対応関係に基づいて、前記第１機能での入力情報を前記第２機能用の入力情報に変換する入力情報変換ステップと、
前記第２機能用の入力情報に基づいて、前記第２機能を発揮させる第２機能発揮ステップと、
前記対応関係に基づいて、前記第２機能が発揮された結果得られる出力情報を、前記第１機能用の出力情報に変換する出力情報変換ステップと、
前記第１機能用の出力情報を出力する制御を実行する出力制御ステップと、
を含む制御処理を実行させるプログラム。
【発明の詳細な説明】
【技術分野】
【０００１】
本発明は、情報処理装置に関する。
【背景技術】
【０００２】
従来より、スロット遊技機は、米国のカジノにおいて一般的であるが、一方で、日本において大きな産業となっているパチンコ遊技機は、アメリカのカジノでは一般的ではなかった。その理由の１つとして、遊技球の出玉の特性は、パチンコ遊技盤上の釘の位置や向きに依存するため、公正な抽選結果の実現が要求される米国のカジノに馴染まないことが挙げられる。
即ち、パチンコ遊技盤上の釘の位置や向きは、釘師と呼ばれるパチンコ遊技盤に釘を打つ専門家によって任意に変えることができるため、結果的に、釘師によって任意に遊技球の出玉の特性を操作することが可能となってしまうため、公正な抽選結果の実現が要求される米国のカジノに馴染まないとされている。
一方で、テレビゲーム等において、パチンコ遊技盤を模した画像を表示させることにより、釘師とは無縁の状態で、プレイヤに対しリアルなパチンコゲームをさせる技術は存在する（例えば特許文献１参照）。
【先行技術文献】
【特許文献】
【０００３】
【特許文献１】特許第４９７４５５８号公報
【発明の概要】
【発明が解決しようとする課題】
【０００４】
しかしながら、特許文献１に記載の従来の技術では、画像表示される、パチンコ遊技盤上の釘の位置や遊技球を打ち出す板バネの位置等についても物理的計算に加えられているため、画像表示される出玉の特性において実際のパチンコ遊技機に近いリアリティがあり、公正な抽選結果の実現が要求される米国のカジノに馴染まない。
【０００５】
本発明は、このような状況に鑑みてなされたものであり、米国のカジノで求められる公正な抽選結果を実現できるスロット遊技機の機能を発揮させた状態を維持しながら、表面上は、あたかもパチンコ遊技機をプレイしているような感覚をプレイヤに持たせることができる情報処理装置を提供することを目的とする。
【課題を解決するための手段】
【０００６】
上記目的を達成するため、本発明の一態様の情報処理装置は、
第１機能と第２機能との対応関係を管理する対応関係管理部と、
前記第１機能での入力情報を受付ける入力情報受付部と、
前記対応関係に基づいて、前記第１機能での入力情報を前記第２機能用の入力情報に変換する入力情報変換部と、
前記第２機能用の入力情報に基づいて、前記第２機能を発揮させる第２機能発揮部と、
前記対応関係に基づいて、前記第２機能が発揮された結果得られる出力情報を、前記第１機能用の出力情報に変換する出力情報変換部と、
前記第１機能用の出力情報を出力する制御を実行する出力制御部と、
を備える。
【０００７】
また、前記第１機能は、パチンコ遊技機の機能であり、
前記第２機能は、スロット遊技機の機能であるとすることができる。
【０００８】
本発明の一態様の情報処理方法及びプログラムは、上述の本発明の一態様の情報処理装置に対応する方法及びプログラムである。
【発明の効果】
【０００９】
本発明によれば、米国のカジノで求められる公正な抽選結果を実現できるスロット遊技機の機能を発揮させた状態を維持しながら、表面上は、あたかもパチンコ遊技機をプレイしているような感覚をプレイヤに持たせることができる。
【図面の簡単な説明】
【００１０】
【図１】本発明の一実施形態に係る情報処理装置のハードウェア構成を示すブロック図である。
【図２】図１の情報処理装置の機能的構成の一例を示す機能ブロック図である。
【図３】図１の情報処理装置によるパチンコ用画像表示処理における、パチンコ機能と、スロット機能との対応関係を示す機能対応表である。
【図４】図１の情報処理装置が実行するパチンコ用画像表示処理を説明するフローチャートである。
【図５】図１の情報処理装置が適用される遊技装置の一例を示す図である。
【発明を実施するための形態】
【００１１】
以下、本発明の実施形態について図面を用いて説明する。
図１は、本発明の一実施形態に係る情報処理装置１のハードウェア構成を示すブロック図である。
なお、本実施形態では、第１機能をスロット遊技機が備える機能とし、第２機能をパチンコ遊技機が備える機能としている。
【００１２】
情報処理装置１は、ＣＰＵ（Ｃｅｎｔｒａｌ  Ｐｒｏｃｅｓｓｉｎｇ  Ｕｎｉｔ）１０１と、ＲＯＭ（Ｒｅａｄ  Ｏｎｌｙ  Ｍｅｍｏｒｙ）１０２と、ＲＡＭ（Ｒａｎｄｏｍ  Ａｃｃｅｓｓ  Ｍｅｍｏｒｙ）１０３と、バス１０４と、入出力インターフェース１０５と、出力部１０６と、入力部１０７と、記憶部１０８と、通信部１０９と、ドライブ１１０と、を備えている。
【００１３】
ＣＰＵ１０１は、ＲＯＭ１０２に記録されているプログラム、又は、記憶部１０８からＲＡＭ１０３にロードされたプログラムに従って各種の処理を実行する。
ＲＡＭ１０３には、ＣＰＵ１０１が各種の処理を実行する上において必要なデータ等も適宜記憶される。
【００１４】
ＣＰＵ１０１、ＲＯＭ１０２及びＲＡＭ１０３は、バス１０４を介して相互に接続されている。このバス１０４にはまた、入出力インターフェース１０５も接続されている。入出力インターフェース１０５には、出力部１０６、入力部１０７、記憶部１０８、通信部１０９及びドライブ１１０が接続されている。
【００１５】
出力部１０６は、ディスプレイやスピーカ等で構成され、各種情報を画像や音声として出力する。具体的には、３枚のディスプレイ（第１表示部３０１、第２表示部３０２、及び第３表示部３０３）からなる表示部２０１を備えている。
入力部１０７は、キーボードやマウス等で構成され、各種情報を入力する。
【００１６】
記憶部１０８は、ハードディスクやＤＲＡＭ（Ｄｙｎａｍｉｃ  Ｒａｎｄｏｍ  Ａｃｃｅｓｓ  Ｍｅｍｏｒｙ）等で構成され、各種データを記憶する。
通信部１０９は、インターネットを含むネットワークを介して他の装置との間で通信を行う。
【００１７】
ドライブ１１０には、磁気ディスク、光ディスク、光磁気ディスク、或いは半導体メモリ等よりなる、リムーバブルメディア１２０が適宜装着される。ドライブ１１０によってリムーバブルメディア１２０から読み出されたプログラムは、必要に応じて記憶部１０８にインストールされる。
また、リムーバブルメディア１２０は、記憶部１０８に記憶されている各種データも、記憶部１０８と同様に記憶することができる。
【００１８】
図２は、図１の情報処理装置１の機能的構成の一例を示す機能ブロック図である。
【００１９】
図２に示すように、情報処理装置１は、パチンコ操作入力部４０１を備える。情報処理装置１のＣＰＵ１０１においては、対応関係管理部５０１と、パチンコ操作入力受付部５０２と、入力情報変換部５０３と、スロット機能発揮部５０４と、出力情報変換部５０５と、パチンコ用画像表示制御部５０６とが機能する。
記憶部１０８（図１）の一領域には、機能対応表ＤＢ６０１が設けられている。
【００２０】
パチンコ操作入力部４０１は、プレイヤがパチンコをスタートさせるための入力操作（以下「スタート操作」と呼ぶ）を行うための操作盤であり、スイッチボタン等で構成させる。
対応関係管理部５０１は、パチンコ遊技機が備える機能（以下「パチンコ機能」と呼ぶ）と、スロット遊技機が備える機能（以下「スロット機能」と呼ぶ）との対応関係を管理する。具体的には、対応関係管理部５０１は、パチンコ機能とスロット機能との対応関係が示された機能対応表を、機能対応表ＤＢ６０１に記憶させ管理する。
パチンコ操作入力受付部５０２は、パチンコ操作入力部４０１において、プレイヤによるスタート操作が行われると、当該スタート操作を、パチンコ機能での入力情報として受付ける。
【００２１】
入力情報変換部５０３は、対応関係管理部５０１によって管理されている機能対応表に基づいて、パチンコ操作入力受付部５０２で受付けたパチンコ機能での入力情報を、スロット機能用の入力情報に変換する。
例えば、パチンコ機能のうち、パチンコ遊技盤（以下単に「遊技盤」と呼ぶ）上に配置されたスロットが回転を始めるまでの一連の機能（スタート機能）での入力情報を、入力情報変換部５０３によってスロット機能用の入力情報に変換する。
即ち、パチンコ遊技機における（１）プレイヤによってスタート操作が行われる、（２）遊技球が遊技盤上に発射される、（３）遊技球が遊技盤上を移動する、（４）遊技球が遊技盤上の所定の位置に配置された入賞口に入る、（５）遊技盤上の所定の位置に配置されたスロットが回転し始める、という一連の機能（スタート機能）での入力情報は、入力情報変換部５０３によって、スロット機能における、（１）プレイヤによってスタートレバーが引かれる、（２）スロットが回転し始める、という一連の機能（スタート機能）を発揮させるための入力情報（スロット機能用の入力情報）に変換される。
【００２２】
スロット機能発揮部５０４は、入力情報変換部５０３によって変換されたスロット機能用の入力情報に基づいて、スロット機能（例えばスタート機能）を発揮させる。
出力情報変換部５０５は、スロット機能発揮部５０４によってスロット機能が発揮された結果得られる出力情報を、対応関係管理部５０１によって管理されている機能対応表に基づいて、パチンコ機能用の出力情報に変換する。
例えば、スロット機能のうち、スタート機能が発揮された場合、その結果として得られる出力情報は、出力情報変換部５０５によってパチンコ機能用の出力情報に変換される。
即ち、スロット機能における、（１）プレイヤによってスタートレバーが引かれる、（２）スロットが回転し始める、というスタート機能が発揮された結果得られる出力情報は、出力情報変換部５０５によって、パチンコ遊技機における、（１）プレイヤによってスタート操作が行われる、（２）遊技球が遊技盤上に発射される、（３）遊技球が遊技盤上を移動する、（４）遊技球が遊技盤上の所定の位置に配置された入賞口に入る、（５）遊技盤上の所定の位置に配置されたスロットが回転し始める、というスタート機能用の出力情報に変換される。
なお、機能対応表の詳細については、図３を参照して後述する。
【００２３】
パチンコ用画像表示制御部５０６は、出力情報変換部５０５によって変換されたパチンコ機能用の出力情報を出力する制御を実行する。
具体的には、例えば上述したパチンコ遊技機のスタート機能用の出力情報を、表示部２０１を構成する第１表示部３０１に表示させる制御を実行する。
これにより、プレイヤ自身としては、表面的には、ディスプレイに表示されたパチンコ遊技機によって、あたかもパチンコ遊技機をプレイしているような実感を得ることができるが、実際にはスロット遊技機をプレイしているということになる。
【００２４】
次に、図１の情報処理装置１によるパチンコ用画像表示処理における、パチンコ機能と、スロット機能との対応関係について説明する。
なお、情報処理装置１によるパチンコ用画像表示処理の具体的な内容は、図４を参照して後述する。
【００２５】
図３は、図１の情報処理装置１によるパチンコ用画像表示処理における、パチンコ機能と、スロット機能との対応関係を示す機能対応表である。
【００２６】
本実施形態において、図１の情報処理装置１は、プレイヤによるパチンコ機能での入力情報を、スロット機能を発揮させるための入力情報（スロット機能用の入力情報）に変換し、スロット機能が発揮された結果得られる出力情報を、当該機能と対応関係を有するパチンコ機能用の出力情報に変換し、当該出力情報を表示部２０１に表示させる。
これにより、プレイヤ自身としては、表面的には、ディスプレイに表示されたパチンコ遊技機によって、あたかもパチンコ遊技機をプレイしているような実感を得ることができるが、実際はスロット遊技機をプレイしているということになる。
【００２７】
具体的には、例えば対象となるスロット遊技機が備える機能が、（１）スタートレバーが引かれ、（２）スロットが回転を開始、（３）回転していたスロットが自動的に停止、（４）停止表示されたシンボル画像が同一種類で揃っていれば「当たり」となる、という機能である場合、当該機能が発揮された結果得られる出力情報を、パチンコ機能用の出力情報に変換され出力されたとしても、「当たり」となる確率は、一連の処理の前後で変動しない。つまり、実質的にスロット機能が発揮された状態が維持されているため、パチンコ用の画像がどのように表示されたとしても「当たり」となる確率は、処理前後において不変となる。
【００２８】
ここで、対応関係を有する機能の具体例を図３に示す。図３の左側には、パチンコ遊技機が備える機能（パチンコ機能）が記載されている。図３の右側には、スロット遊技機が備える機能（スロット機能）が記載されている。
まず、パチンコ機能のうち、「スタート機能」に該当するものは、パチンコ遊技機をスタートさせる機能、即ち、（１）スタートボタンが押下され、これにより、（２）遊技球が遊技盤上に発射され、（３）遊技球が遊技盤上を移動し、（４）入賞口に遊技球が入り、（５）遊技盤上の所定の位置に配置されたスロットが回転し始める、という一連の動作を表す機能である。
これと対応関係を有する、スロット機能のうち、「スタート機能」に該当するものは、（１）スタートレバーが引かれ、（２）スロットが回転し始める、という一連の動作を表す機能である。
【００２９】
また、パチンコ機能のうち、「当たり機能」に該当するものは、パチンコ遊技機における当たりを示す機能、即ち、（１）遊技盤上の所定の位置で回転していたスロットが停止し、（２）停止した結果、当該スロットに表示されたシンボル画像が同一種類で揃う、という一連の動作を表す機能である。
これと対応関係を有する、スロット機能のうち、「当たり機能」に該当するものは、（１）回転していたスロットが停止し、（２）停止した結果、スロットに表示されたシンボル画像が同一種類で揃う、という一連の動作を表す機能である。
【００３０】
また、パチンコ機能のうち、「はずれ機能」に該当するものは、パチンコ遊技機における「はずれ」を示す機能、即ち、（１）入賞口に遊技球が入り遊技盤上のスロットが回転を開始し、（２）回転していたスロットが停止し、（３）停止した結果、当該スロットに表示されたシンボル画像が同一種類で揃わない、という一連の動作を表す機能（はずれパターン１）、又は遊技盤上を移動する遊技球が入賞口に入らないという動作を表す機能（はずれパターン２）のうちいずれか一方である。
これと対応関係を有する、スロット機能のうち、「はずれ機能」に該当するものが、（１）回転していたスロットが停止し、（２）停止した結果、スロットに表示されたシンボル画像が同一種類で揃わない、という一連の動作を表す機能である。
【００３１】
このような機能対応表は、対応関係管理部５０１によって、機能対応表ＤＢ６０１に記憶され管理されており、入力情報変換部５０３は、機能対応表の内容に基づいて、パチンコ機能での入力情報をスロット機能用の入力情報に変換する。また、出力情報変換部５０５は、機能対応表の内容に基づいて、スロット機能が発揮された結果得られる出力情報を、パチンコ機能用の出力情報に変換する。
【００３２】
したがって、発揮されたスロット機能が、スタートレバーが引かれた段階で当りはずれの結果が決まるものである場合には、出力情報が変換された後のパチンコ遊技機の機能においても、プレイヤがスタートボタンを押下した段階で当りはずれの結果が決定することとなる。
このため、パチンコ機能用の出力情報として表示部２０１に表示される、遊技盤上を移動する遊技球が入賞口に入る動作又は入らない動作や、回転が停止したスロットのシンボル画像が揃う動作又は揃わない動作を表す画像は、いずれも既にスロット遊技機の機能として当たりはずれが決定されているという状況の下に行われる表示上の演出に過ぎない。
しかしながら、例えば入賞口に遊技球が入る動作が表示される確率をランダムとすることにより、入賞口に遊技球が連続的に入れば当たりの確立が高くなるであろう、というプレイヤの射幸心を増幅させる効果を生じさせることができる。
このように、実質的には一般的なスロット遊技機の機能が発揮された状態で、表面上はパチンコ機能用の出力情報を出力させることにより、プレイヤに対し、演出機能を有しないスロット遊技機をプレイすることにより得られる射幸心よりも高い射幸心を生じさせることができる。
【００３３】
次に、情報処理装置１によるパチンコ用画像表示処理について説明する。
図４は、図１の情報処理装置１が実行するパチンコ用画像表示処理を説明するフローチャートである。
【００３４】
ステップＳ１１において、情報処理装置１のパチンコ操作入力受付部５０２は、パチンコ操作入力部４０１において、プレイヤによるパチンコ機能での入力操作（スタート操作）がなされたか否かを判定する。
プレイヤが何ら操作を行っていない場合、ステップＳ１１においてＮＯであると判定される。即ち、プレイヤによるパチンコ機能での入力操作がなされるまでの間、ステップＳ１１の判定処理が繰り返される。
その後、パチンコ操作入力部４０１において、プレイヤによる入力操作がなされると、ステップＳ１１においてＹＥＳであると判定されて処理はステップＳ１２に進む。
【００３５】
ステップＳ１２において、パチンコ操作入力受付部５０２は、プレイヤによるパチンコ機能での入力操作を受付ける。
ステップＳ１３において、入力情報変換部５０３は、対応関係管理部５０１によって管理されている機能対応表に基づいて、パチンコ機能での入力情報をスロット機能用の入力情報に変換する。
ステップＳ１４において、スロット機能発揮部５０４は、スロット機能のうち、上述した「スタート機能」を発揮させる。
【００３６】
ステップＳ１５において、出力情報変換部５０５は、スロット機能発揮部５０４によって発揮されたスロットの「スタート機能」と対応関係を有するもの（パチンコの「スタート機能」）を、図３の機能対応表の中から抽出する。そして、対応関係管理部５０１によって管理されている機能対応表に基づいて、スロットの「スタート機能」が発揮された結果得られた出力情報を、パチンコの「スタート機能」用の出力情報に変換する。
ステップＳ１６において、パチンコ用画像表示制御部５０６は、出力情報変換部５０５によって変換されたパチンコ機能用の出力情報に基づくパチンコ用画像を、表示部２０１に画像表示させる制御を実行する。具体的には、例えば上述したパチンコ機能のうち「スタート機能」を表す一連の動作を、表示部２０１を構成する第１表示部３０１に画像表示させる制御を実行する。
これにより、パチンコ用画像表示処理は終了となる。
【００３７】
次に、このようなパチンコ用画像表示処理がなされる情報処理装置１が適用される遊技装置の一例について説明する。
図５は、図１の情報処理装置１が適用される遊技装置の一例を示す図である。
【００３８】
図５（Ａ）は、図１の情報処理装置１の適用例としての遊技装置の外観構成を示す正面図である。
図５（Ｂ）は、図１の情報処理装置１の適用例としての遊技装置の外観構成を示す斜視図である。
【００３９】
第１表示部３０１には、スロット機能と対応関係を有するパチンコ機能として、パチンコ機能を表すパチンコ用画像を表示させることができる。
パチンコ用画像には、パチンコ遊技機が機能として備えるあらゆる動作を含めることができる。
具体的には、例えば一般的なパチンコ遊技機に搭載されている機能に含まれる、遊技球が入賞口に入った数を「保留球数」としてパチンコ遊技機が記憶する機能を表す動作や、「当たり」の確率を上昇させることによりプレイヤが次の「当たり」を容易に得ることを可能にする「確率変動」の機能を表す動作や、スロットのシンボル画像があと１つ揃えば当たりとなる状態を示す「リーチ」を演出する機能を表す動作や、当該「リーチ」の予告を演出する機能を表す動作や、電飾等によって遊技球を含む遊技盤全体に関する色彩を演出する動作等を表す画像を、パチンコ用画像に含めることができる。
【００４０】
また、パチンコ用画像は、パチンコ遊技機が一般的に備える機能に含まれる動作の画像に限定されない。スロット機能との対応関係が維持されている限り、例えば遊技球やスロット等の画像を拡大表示又は縮小表示させる演出や、遊技盤上を移動する遊技球の速度を変化させたり無重力化させるような物理的法則を超越した演出を含む動作を、パチンコ用画像として第１表示部３０１に表示させることができる。
【００４１】
第２表示部３０２及び第３表示部３０３には、図１の情報処理装置１の適用例としての遊技装置の名称や、当たりの回数等の履歴等を含むパチンコ遊技機に関するあらゆる情報を表示させることができる。
【００４２】
以上、本発明の一実施形態について説明したが、本発明は、上述の実施形態に限定されるものではなく、本発明の目的を達成できる範囲での変形、改良等は本発明に含まれるものである。
【００４３】
例えば、本実施形態では、対応関係を有する第１機能と第２機能として、パチンコ機能（第１機能）とスロット機能（第２機能）とを採用しているが、これは単なる例示であり、あらゆる機能を採用することができる。
【００４４】
また、図１に示すハードウェア構成は、本発明の目的を達成するための例示に過ぎず、特に限定されない。例えば、出力部１０６には、パチンコ遊技機の機能上の演出として、プレイヤに対し、風を送る送風部（図示なし）、霧や煙を見立てたミストを送るミスト部（図示なし）、香りを送る芳香部（図示なし）、前後左右に座席を可動又は振動させる座席振動部（図示なし）等を設けることができる。
【００４５】
また、図２に示す機能ブロック図は、例示に過ぎず、特に限定されない。即ち、上述した一連の処理を全体として実行できる機能が情報処理装置１に備えられていれば足り、この機能を実現するためにどのような機能ブロックを用いるのかは、特に図２の例に限定されない。
【００４６】
また、機能ブロックの存在場所も、図２に限定されず、任意でよい。
また、１つの機能ブロックは、ハードウェア単体で構成してもよいし、ソフトウェア単体で構成してもよいし、それらの組み合わせで構成してもよい。
【００４７】
各機能ブロックの処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば情報処理装置の他汎用のスマートフォンやパーソナルコンピュータであってもよい。
【００４８】
このようなプログラムを含む記録媒体は、各ユーザにプログラムを提供するために装置本体とは別に配布される、リムーバブルメディアにより構成されるだけではなく、装置本体に予め組み込まれた状態で各ユーザに提供される記録媒体等で構成される。
【００４９】
また、図３の機能対応表に記載された各種機能は例示であり、スタート機能、当たり機能、及びはずれ機能の３つに限定されない。パチンコ遊技機が備えるあらゆる機能の夫々と、スロット遊技機が備えるあらゆる機能の夫々とを、機能対応表において対応関係を持たせることができる。
【００５０】
なお、本明細書において、記録媒体に記録されるプログラムを記述するステップは、その順序に添って時系列的に行われる処理はもちろん、必ずしも時系列的に処理されなくとも、並列的或いは個別に実行される処理をも含むものである。
【００５１】
以上まとめると、本発明が適用される情報処理装置は、次のような構成を取れば足り、各種各様な実施形態を取ることができる。
即ち、本発明が適用される情報処理装置（例えば図１の情報処理装置１）は、
第１機能（例えば図３のパチンコ遊技機が備える機能）と第２機能（例えば図３のスロット遊技機が備える機能）との対応関係を管理する対応関係管理部（例えば図２の対応関係管理部５０１）と、
前記第１機能での入力情報を受付ける入力情報受付部（例えば図２のパチンコ操作入力受付部５０２）と、
前記対応関係に基づいて、前記第１機能での入力情報を前記第２機能用の入力情報に変換する入力情報変換部（例えば図２の入力情報変換部５０３）と、
前記第２機能用の入力情報に基づいて、前記第２機能を発揮させる第２機能発揮部（例えば図２のスロット機能発揮部５０４）と、
前記対応関係に基づいて、前記第２機能が発揮された結果得られる出力情報を、前記第１機能用の出力情報に変換する出力情報変換部（例えば図２の出力情報変換部５０５）と、
前記第１機能用の出力情報を出力する制御を実行する出力制御部（例えば図２のパチンコ画像表示制御部５０６）と、
を備える。
【００５２】
これにより、例えば、実質的には一般的なスロット遊技機の機能（第２機能）を発揮させたまま、パチンコ遊技機の機能（第１機能）を表面上発揮させることにより、プレイヤに対し、スロット遊技機をプレイすることにより得られる射幸心よりも高い射幸心を生じさせることができる。また、米国のカジノで求められる公正な抽選結果を実現できるスロット遊技機の機能を発揮させた状態を維持しながら、表面上は、あたかもパチンコ遊技機をプレイしているような感覚をプレイヤに持たせることができる。
【符号の説明】
【００５３】
１・・・  情報処理装置
１０１・・・  ＣＰＵ
１０２・・・  ＲＯＭ
１０３・・・  ＲＡＭ
１０４・・・  バス
１０５・・・  入出力インターフェース
１０６・・・  出力部
１０７・・・  入力部
１０８・・・  記憶部
１０９・・・  通信部
１１０・・・  ドライブ
１２０・・・  リムーバブルメディア
２０１・・・  表示部
３０１・・・  第１表示部
３０２・・・  第２表示部
３０３・・・  第３表示部
４０１・・・  パチンコ操作入力部
５０１・・・  対応関係管理部
５０２・・・  パチンコ操作入力受付部
５０３・・・  入力情報変換部
５０４・・・  スロット機能発揮部
５０５・・・  出力情報変換部
５０６・・・  パチンコ画像表示制御部
【図１】
2018000495.tif 000003
【図２】
2018000495.tif 000004
【図３】
2018000495.tif 000005
【図４】
2018000495.tif 000006
【図５】
2018000495.tif 000007